(57)【特許請求の範囲】
【請求項１】
閉じ状態においてフラットな平面を成す左右のスライド扉によって収納庫本体の前面開口部を開閉する機構であって、前記スライド扉の何れか一方を手前側に引き出して横方向にスライドさせた後に他方のスライド扉に重ねることによって前記収納庫本体の前面開口部を開くよう該スライド扉をガイドする上下一対のガイド手段を、前記収納庫本体内の上下に平面仕切板によって画成された空間内にそれぞれ配置して成るスライド扉開閉機構において、
前記左右のスライド扉の何れか一方を開くとき、該スライド扉を全開位置近傍において全開位置まで引き込む引き込み機構を設け、
前記引き込み機構は、前記左右のスライド扉に第１及び第２部材を取り付け、第１部材には引き込みピンを設け、第２部材には平面視Ｌ字状のガイド溝によって回動しながら移動する引き込みキャッチと該引き込みキャッチを開き動作中のスライド扉を全開方向に付勢するバネを設けて構成されることを特徴とするスライド扉開閉機構。
【請求項２】
前記第１部材にダンパーを設けたことを特徴とする請求項１記載のスライド扉開閉機構。
【請求項３】
前記第２部材に、前記スライド扉の閉じ動作によって前記引き込みキャッチに係合してこれを初期位置に復帰させる係合爪を設けたことを特徴とする請求項１又は２記載のスライド扉開閉機構。
【請求項４】
閉じ状態においてフラットな平面を成す左右のスライド扉によって収納庫本体の前面開口部が開閉される収納庫であって、請求項１〜３の何れかに記載のスライド扉開閉機構を備えたことを特徴とする収納庫。
【発明の詳細な説明】
【技術分野】
【０００１】
本発明は、閉じ状態においてフラットな平面を成す左右のスライド扉の一方を手前側に引き出して横方向にスライドさせ、該スライド扉を他方のスライド扉に正面視で重ねることによって開くようにしたスライド扉開閉機構及びこれを備えた収納庫に関するものである。
【背景技術】
【０００２】
例えば、キッチンに設置される食器収納庫には、扉が収納庫本体の幅方向両端を中心として揺動する両開き型のものや、収納庫本体の前面開口部を横方向に引き違いにスライドする扉によって開閉するインセット型のものが多く使用されていた。
【０００３】
ところが、両開き型の収納庫にあっては、扉を開閉するためには手前側に大きなスペースを要するという問題があり、インセット型の収納庫では、扉が引き違い式にスライドするために２枚の厚さ分だけ収納スペースが減少するという問題がある。
【０００４】
そこで、本出願人は、閉じ状態においてフラットな平面を成す左右のスライド扉の一方を手前側に引き出して横方向にスライドさせ、該スライド扉を他方のスライド扉に正面視で重ねることによって開くようにしたスライド扉開閉機構を先に提案した（特許文献１参照）。
【０００５】
このスライド扉開閉機構は、スライド扉の開閉動作をガイドする上下一対のガイド手段を、収納庫本体内の上下に平面仕切板によって画成された空間内にそれぞれ配置して構成されており、これによれば全閉状態において左右のスライド扉はフラットな平面を成すために収納庫の収納スペースがスライド扉によって減少することがなく、又、収納庫を開閉するときには一方のスライド扉を手前側に引き出して横方向にスライドさせるために手前側に大きな開閉スペースを必要としないという効果が得られる。
【特許文献１】特許第３７４１２０２号公報
【発明の開示】
【発明が解決しようとする課題】
【０００６】
ところが、大型で重いスライド扉を完全に開くには大きな力を要し、大きくて重いスライド扉を常に確実に全開状態とすることは容易ではなかった。
【０００７】
本発明は上記問題に鑑みてなされたもので、その目的とする処は、大きくて重いスライド扉であっても、これを容易且つ確実に全開することができるスライド扉開閉機構及びこれを備えた収納庫を提供することにある。
【課題を解決するための手段】
【０００８】
上記目的を達成するため、請求項１記載の発明は、閉じ状態においてフラットな平面を成す左右のスライド扉によって収納庫本体の前面開口部を開閉する機構であって、前記スライド扉の何れか一方を手前側に引き出して横方向にスライドさせた後に他方のスライド扉に重ねることによって前記収納庫本体の前面開口部を開くよう該スライド扉をガイドする上下一対のガイド手段を、前記収納庫本体内の上下に平面仕切板によって画成された空間内にそれぞれ配置して成るスライド扉開閉機構において、前記左右のスライド扉の何れか一方を開くとき、該スライド扉を全開位置近傍において全開位置まで引き込む引き込み機構を設け、前記引き込み機構は、前記左右のスライド扉に第１及び第２部材を取り付け、第１部材には引き込みピンを設け、第２部材には平面視Ｌ字状のガイド溝によって回動しながら移動する引き込みキャッチと該引き込みキャッチを開き動作中のスライド扉の全開方向に付勢するバネを設けて構成されることを特徴とする。
【００１０】
請求項２記載の発明は、請求項１記載の発明において、前記第１部材にダンパーを設けたことを特徴とする。
【００１１】
請求項３記載の発明は、請求項１又は２記載の発明において、前記第２部材に、前記スライド扉の閉じ動作によって前記引き込みキャッチに係合してこれを初期位置に復帰させる係合爪を設けたことを特徴とする。
【００１２】
また、請求項１〜３の何れかに記載の発明において、前記上側のガイド手段に、スライド扉の閉じ動作時に該スライド扉に回転方向の力が加わらないよう回り止め部材を設けてもよい。
【００１３】
請求項４記載の発明は、閉じ状態においてフラットな平面を成す左右のスライド扉によって収納庫本体の前面開口部が開閉される収納庫が請求項１〜３の何れかに記載のスライド開閉機構を備えたことを特徴とする。
【発明の効果】
【００１４】
請求項１記載の発明によれば、左右のスライド扉の何れか一方を開く際、該スライド扉が全開位置近傍まで開いたときに引き込み機構によってスライド扉が自動的に全開位置まで引き込まれるため、大きくて重いスライド扉であっても、これを容易且つ確実に全開することができる。
【００１５】
また請求項１記載の発明によれば、左右のスライド扉の何れか一方を開く際、該スライド扉が全開位置近傍まで開いたときに第１部材の引き込みピンが第２部材の引き込みキャッチに係合して該引き込みキャッチのガイド溝との係止を解除するため、引き込みキャッチは第１部材の引き込みピンをキャッチした状態でガイド溝に沿ってスライド扉の全開方向に移動するため、開き動作中のスライド扉がバネの付勢力によって自動的に全開位置まで引き込まれる。
【００１６】
請求項２記載の発明によれば、ダンパーとバネを第１部材と第２部材に分けて設けたため、バネの付勢力に抗するだけの小さな力でスライド扉を閉めることができる。又、ダンパーの緩衝作用によってスライド扉が全開位置へと引き込まれる際の衝撃が吸収され、スライド扉の開き動作が静粛になされる。
【００１７】
請求項３記載の発明によれば、全開したスライド扉を閉める動作に連動して係合爪で引き込みキャッチを初期位置に復帰させることができ、スライド扉の次の開き動作の準備が自動的になされる。又、何らかの原因で引き込みキャッチが初期位置に復帰していない場合であっても、スライド扉を一旦全開にして閉じれば、この閉じ動作に連動して引き込みキャッチが初期位置に確実に復帰するため、その後の開き動作によってスライド扉が引き込み機構によって自動的に全開位置まで引き込まれる。
【００１８】
請求項１〜３の何れかに記載の発明において、スライド扉の閉じ動作時に該スライド扉に回転方向の力が加わらないよう回り止め部材を設ければ、スライド扉をスムーズに閉じることができる。
【００１９】
請求項４記載の発明によれば、閉じ状態においてフラットな平面を成す左右のスライド扉によって収納庫本体の前面開口部が開閉される収納庫において、大きくて重いスライド扉であっても、これを容易且つ確実に全開することができる。
【発明を実施するための最良の形態】
【００２０】
以下に本発明の実施の形態を添付図面に基づいて説明する。
【００２１】
図１は本発明に係る収納庫の正面図、図２は図１のＡ−Ａ線断面図（スライド扉全閉時）、図３は図２のＢ−Ｂ線断面図、図４は図１のＡ−Ａ線断面図（スライド扉開閉時）、図５は図４のＣ−Ｃ線断面図、図６は図４のＤ部拡大詳細図、図７〜図８は本発明に係るスライド扉開閉機構の動作をスライド扉の開き動作手順に沿って示す部分斜視図である。
【００２２】
図１に示す収納庫１は、システムキッチンに設置される食器収納庫であって、矩形ボックス状の収納庫本体２の前面開口部２ａ（図２〜図５参照）は左右のスライド扉３Ｌ，３Ｒによって開閉されるが、図１〜図３に示すように、収納庫本体２の前面開口部２ａが左右のスライド扉３Ｌ，３Ｒによって閉じられているときには、左右のスライド扉３Ｌ，３Ｒは段差の無いフラットな平面を成している。
【００２３】
そして、上述のように収納庫本体２の前面開口部２ａが左右のスライド扉３Ｌ，３Ｒによって閉じられている状態において、図４及び図５に示すように、例えば右スライド扉３Ｒを手前側（図４の矢印ｙ方向）に引き出した後、該右スライド扉３Ｒを横方向（図４の矢印ｘ方向）にスライドさせて正面視で左スライド扉３Ｌに重ねることによって収納庫本体２の前面開口部２ａの右半分を開けることができ、この開いた部分から食器類を出し入れすることができる。
【００２４】
又、前面開口部２ａの右半分が開いた収納庫本体２を閉じるには、正面視で左スライド扉３Ｌの前面側に重ねられた右スライド扉３Ｒを横方向（図４の矢印ｘ’方向）に右限までスライドさせた後、該右スライド扉３Ｒを奥側（図４の矢印ｙ’方向）に押し込めば良い。すると、右スライド扉３Ｒは収納庫本体２の前面開口部２ａの右半分を閉じ、図１〜図３に示すように、収納庫本体２の前面開口部２ａはフラットな平面を成す左右のスライド扉３Ｌ，３Ｒによって全閉される。尚、以上は右スライド扉３Ｒの開閉動作について説明したが、左スライド扉３Ｌも右スライド扉３Ｒと同様に操作することによって収納庫本体２の前面開口部２ａの左半分を開閉することができる。
【００２５】
而して、以上の左右のスライド扉３Ｌ，３Ｒの開閉動作は本発明に係るスライド扉開閉機構によってなされるが、このスライド開閉機構は、図１に示すように、各スライド扉３Ｌ，３Ｒの上下にそれぞれ設けられた各一対のガイド手段Ｇ，Ｇ’を備えている。ここで、収納庫本体２内の上下には水平な平面仕切板４，４’によって高さの低い空間Ｓ，Ｓ’がそれぞれ画成されており、前記上下一対のガイド手段Ｇ，Ｇ’は各空間Ｓ，Ｓ’にそれぞれ収納されている。従って、収納庫本体２においては、上下の平面仕切板４，４’の間の空間が収納空間となる。
【００２６】
次に、本発明に係るスライド開閉機構を構成するガイド手段Ｇ，Ｇ’の構成について説明する。尚、左右のスライド扉３Ｌ，３Ｒの上側に設けられたガイド手段Ｇ，Ｇ同士及び下側に設けられたガイド手段Ｇ’，Ｇ’同士は収納庫本体２の幅方向中心に対して左右対称に構成されているが、これらの基本構成は同じであるため、以下、右側のスライド扉３Ｒの上下に配設されたガイド手段Ｇ，Ｇ’の構成についてのみ説明する。
【００２７】
先ず、上側のガイド手段Ｇの構成について説明すると、図２及び図３に示すように、上側の平面仕切板４上には、上面が開口するチャンネル状の第１のガイドレール５が収納庫本体２の全幅に亘って横方向（スライド扉３Ｌ，３Ｒのスライド方向）に敷設されており、この第１のガイドレール５には、該ガイドレール５の全長の約１／４の長さを有する矩形パイプ状のスライダ６が移動可能に保持されている。即ち、図３に示すように、スライダ６の左右には複数のローラ７が回転可能に軸支されており、スライダ６はローラ７を介して第１のガイドレール５に沿って横方向（図３の紙面垂直方向）にスライド可能に保持されている。
【００２８】
上記スライダ６の上面の左右両端部には、図２に示すように、連結板８，９がそれぞれ水平に結着されており、これらの連結板８，９には揺動板１０，１１の各中間部が軸１２，１３によってそれぞれ水平に揺動可能に枢着されており、これらの揺動板１０，１１の各一端部（内側端部）同士はリンク部材１４によって連結されている。そして、揺動板１０，１１の各他端部（外側端部）には軸１５によって右スライド扉３Ｒの上端の２箇所が連結されている。
【００２９】
他方、下側のガイド手段Ｇ’においても、図３及び図５に示すように、下側の平面仕切板４’の下面には、下面が開口するチャンネル状の第１のガイドレール５’が収納庫本体２の全幅に亘って横方向（図３及び図５の紙面垂直方向）に敷設されており、この第１のガイドレール５’には、該ガイドレール５’の全長の約１／４の長さを有する断面Ｌ字状のスライダ６’が複数のローラ７’を介して  移動可能に保持されている。
【００３０】
上記スライダ６’には、２枚の揺動板１０’，１１’（図３及び図５には揺動板１１’は不図示が揺動可能に連結されており、これらの揺動板１０’，１１’の各一端部（内側端部）同士はリン部材１４’によって連結されている。そして、揺動板１０，１１’の各他端部（外側端部）には軸１５’によって右スライド扉３Ｒの下端の２箇所が連結されている。
【００３１】
従って、右スライド扉３Ｒは、上下のガイド手段Ｇ，Ｇ’の揺動板１０，１１及び１０’，１１’によって垂直に支持されており、図１、図２及び図４に示すように、該右スライド扉３Ｒの右端面には、前方が開口するチャンネル状のライン把手１６が全高に亘って直線状に取り付けられている。尚、左スライド扉３Ｌの左端面にも同様のライン把手１６が取り付けられている。
【００３２】
而して、上側のガイド手段Ｇにおいては、両揺動板１０，１１とリンク部材１４及び右スライド扉３Ｒで平行四辺形リンクが構成されており、下側のガイド手段Ｇ’においても、両揺動板１０’，１１’とリンク部材１４’及び右スライド扉３Ｒで平行四辺形リンクが構成されている。
【００３３】
ところで、図２及び図４に示すように、上側のガイド手段Ｇの両揺動板１０，１１の間にはリターンスプリング１７が張設されており、一方の揺動板１０とスライダ６との間にはダンパー１８が介設されている。又、同様に下側のガイド手段Ｇ’の両揺動板１０，１１’の間にはリターンスプリング１７’が張設されている。
【００３４】
又、図３及び図４に示すように、上側のガイド手段Ｇにおいて、平面仕切板４の前記第１のガイドレール５の手前側には第２のガイドレール１９が横方向に敷設されている。この第２のガイドレール１９は、長手方向（横方向）に直線状に延びる直線ガイド部１９ａと該直線ガイド部１９ａの長手方向両端に形成された凹状の揺動ガイド部１９ｂとで構成されており、後述のように揺動ガイド部１９ｂは、右スライド扉３Ｒを手前側に引き出す際のガイドとして機能する。同様に、図３に示すように、下側のガイド手段Ｇ’においても、平面仕切板４’の前記第１のガイドレール５’の手前側（図３の左側）には第２のガイドレール１９’が横方向に敷設されており、図示しないが、この第２のガイドレール１９’の直線ガイド部の長手方向端部には、右スライド扉３Ｒを手前側に引き出す際のガイドとなる凹状の揺動ガイド部が形成されている。そして、本実施の形態においては、上側のガイド手段Ｇの第１のガイドレール５と第２のガイドレール１９及び下側のガイド手段Ｇ’の第１のガイドレール５’と第２のガイドレール１９’とは一体化されている。
【００３５】
又、図３に示すように、上側のガイド手段Ｇの一方の揺動板１０からは軸２０が垂直下方に突設されており、該軸２０の下端部には、前記第２のガイドレール１９に沿って転動するローラ２１が回転可能に支持されている。同様に、下側のガイド手段Ｇ’の一方の揺動板１０’からは軸２０’が垂直上方に立設されており、該軸２０’の上端部には、前記第２のガイドレール１９’に沿って転動するローラ２１’が回転可能に支持されている。
【００３６】
而して、本実施の形態においては、図５及び図７〜図９に示すように、上下のガイド手段Ｇ，Ｇ’の揺動板１０，１０’同士は、垂直に起立する矩形パイプ状の連結ロッド２２によって互いに連結されている。具体的には、揺動板１０，１０’と右スライド扉３Ｒとを連結する軸１５，１５’には、ブラケット２３，２３’がそれぞれ結着されており、これらのブラケット２３，２３’の軸１５，１５’に対して偏心した位置には前記連結ロッド２２の端部がフランジ２４，２４’を介して連結されている。
【００３７】
又、図４及び図７〜図９に示すように、上下の平面仕切板４，４’（図４には一方のみ図示）の前縁の幅方向両端部には、右スライド扉３Ｒが全閉状態にあるときに前記連結ロッド２２を格納するための切欠き２５ａが形成されている。この切欠き２５ａは、図６に詳細に示すように、その内側面（図６の左側面）２５ａ−１が前方（図６の下方）に向かって広がる傾斜面として形成されており、前方に向かって開口幅が広げられている。尚、本実施の形態では、切欠き２５ａが形成された樹脂製部材２５が上下の平面仕切板４，４’の前縁に嵌着されている。
【００３８】
ところで、本実施の形態に係るスライド扉開閉機構には、図３に示すように、左右のスライド扉３Ｌ，３Ｒの何れか一方を開くとき、該スライド扉３Ｌ又は３Ｒを全開位置近傍において全開位置まで引き込む引き込み機構３０が下側の空間Ｓ’に設けられている。ここで、引き込み機構３０の構成の詳細を図１０〜図２３に基づいて説明する。
【００３９】
図１０は図１のＥ−Ｅ線断面図、図１１は図１０のＦ部拡大詳細図、図１２は図１０のＧ部拡大詳細図、図１３は図１のＥ−Ｅ線断面図（スライド扉開閉時）、図１４は図１３のＨ部拡大詳細図、図１５は図１４に示す状態の引き込み機構の斜視図、図１６は同側面図、図１７は図１６のＩ−Ｉ線断面図、図１８は図１のＥ−Ｅ線断面図（スライド扉全開時）、図１９は図１８のＪ部拡大詳細図、図２０は図１９に示す状態の引き込み機構の側面図、図２１は図２０のＫ−Ｋ線断面図、図２２及び図２３はスライド扉を全開する際に引き込み機構の引き込みキャッチが初期位置にない場合の操作を説明する平面図である。
【００４０】
図１０〜図１２に示すように、引き込み機構３０は、左スライド扉３Ｌの下方のスライダ６’に取り付けられた第１部材３１と、右スライド扉３Ｒの下方のスライダ６’に取り付けられた第２部材３２とで構成されている。
【００４１】
上記第１部材３１の本体ケース３１Ａには、図１５〜図１７に示すように、円柱状の引き込みピン３３が立設されるとともに、ダンパー３４が設けられており、先端部には鍵状の係合爪３５が一体に形成されている。
【００４２】
他方、右スライド扉３Ｒのスライダ６’に取り付けられた前記第２部材３２の本体ケース３２Ａには、図１７に詳細に示すように、平面視Ｌ字状のガイド溝３６が形成されるとともに、引き込みキャッチ３７が前記ガイド溝３６に沿って移動可能に設けられている。ここで、引き込みキャッチ３７には二股状の一対の係合爪３７ａ，３７ｂが形成されており、該引き込みキャッチ３７は、これに突設された２本のピン３７ｃ，３７ｄが前記ガイド溝３６に係合することによって、前述のようにガイド溝３６に沿って移動することができる。
【００４３】
そして、引き込みキャッチ３７は、これとケース本体３２Ａ間に縮装されたバネ３８によって一方向（開き動作中のスライド扉３Ｌ又は３Ｒを全開する方向）に付勢されており、引き込み動作前の状態では、図１１、図１４〜図１７に示すように、引き込みキャッチ３７の一方のピン３７ｃはガイド溝３６の直角に折り曲げられた係止部３６ａに係合して静止しており、この状態では該引き込みキャッチ３７の係合爪３７ａ，３７ｂは略斜め４５°方向に向かって開口している。尚、図１５に示すように、一方の係合爪３７ｂは階段状に成形されており、その先端部３７ｂ−１は他方の係合爪３７ａに対して段違いに形成されている。このため、第１部材３１に形成された係合爪３５は、係合爪３７ａの先端部３７ｂ−１に係合しないでこれを通過することができる。
【００４４】
ところで、本実施の形態では、図２及び図３に示すように、上側のガイド手段Ｇには、スライド扉３Ｌ又は３Ｒの閉じ動作時に該スライド扉３Ｌ又は３Ｒに回転方向の力が加わるのを防ぐための回り止め部材３９が幅方向２箇所に設けられている。
【００４５】
次に、右スライド扉３Ｒの開閉動作について説明する。
【００４６】
図１及び図２に示すように、収納庫本体２の前面開口部２ａがフラットな平面を成す左右のスライド扉３Ｌ，３Ｒによって閉じられている状態では、図７に示すように、上下のガイド手段Ｇ，Ｇ’の揺動板１０，１０’同士を連結する連結ロッド２２は、上下の平面仕切板４，４’に嵌着された樹脂製部材２５の切欠き２５ａに収納されている。
【００４７】
上記状態において、ユーザーが例えば右スライド扉３Ｒのライン把手１６に手を掛けて該右スライド扉３Ｒを手前側（図４の矢印ｙ方向）に引くと、例えば上側のガイド手段Ｇにおいて、揺動板１０，１１がそれぞれ軸１２，１３を中心として図２の矢印ａ方向に揺動するが、前述のように揺動板１０，１１とリンク部材１４及び右スライド扉３Ｒは平行四辺形リンクを構成しているため、右スライド扉３Ｒは、揺動板１０，１１と共に図２の矢印ａ方向に揺動しつつ収納庫本体２の前面に対して平行に手前側へと移動する。尚、このとき、下側のガイド手段Ｇ’も同様に動作する。
【００４８】
而して、上述のように右スライド扉３Ｒを手前側に引き出す過程において、上下の揺動板１０，１０’に軸２０，２０’を介して回転可能に保持されたローラ２１，２１’は第２のガイドレール１９，１９’の揺動ガイド部１９ｂ（下側については不図示）に係合しているため（図８参照）、右スライド扉３Ｒの横移動が阻止される。
【００４９】
又、上下のガイド手段Ｇ，Ｇ’の各揺動板１０，１０’同士は連結ロッド２２によって互いに連結されているため、上下のガイド手段Ｇ，Ｇ’は連動し、右スライド扉３Ｒが第２のガイドレール１９，１９’の揺動ガイド部１９ｂ（下側については不図示）に沿って揺動しながらスムーズに手前側に引き出される。このとき、上下の平面仕切板４，４’に嵌着された樹脂製部材２５の切欠き２５ａに収納されていた連結ロッド２２は、図８に示すように、切欠き２５ａから外れて円弧状に揺動しながら前方へと移動するが、前述のように切欠き２５ａは、その内側面２５ａ−１が前方に向かって広がる傾斜面として形成されており、前方に向かって開口幅が広げられているため（図６参照）、連結ロッド２２の切欠き２５ａとの干渉が避けられ、右スライド扉３Ｒは、揺動しながら手前側にスムーズに引き出される（図９参照）。
【００５０】
上述のように、右スライド扉３Ｒが収納庫本体２の前面に対して手前側へと平行に引き出されると、ユーザーが右スライド扉３Ｒのライン把手１６を把持して該右スライド扉３Ｒを左スライド扉３Ｌ方向へと引く。このとき、上下のガイド手段Ｇ，Ｇ’の揺動板１０，１０’に保持されたローラ２１，２１’は第２のガイドレール１９，１９’の直線ガイド部１９ａ（下側については不図示）に沿って移動して上下の平行四辺形リンクを図４に示す形状に保持するため、右側スライド扉３Ｒは、図４に示すように収納庫本体２の前面から前側に平行に引き出された状態を保持する。そして、この右スライド扉３Ｒは、上下のガイド手段Ｇ，Ｇ’のスライダ６，６’が第１のガイドレール５，５’に沿ってそれぞれ移動するに伴って左方向（図４及び図１３の矢印ｘ方向）に平行にスライドする。
【００５１】
而して、右スライド扉３Ｒが図１３〜図１７に示すように全開位置近傍まで移動し、該右スライド扉３Ｒと共に移動する第２部材３２の引き込みキャッチ３７の係合爪３７ａ，３７ｂが左スライド扉３Ｌに取り付けられた第１部材３１の引き込みピン３３に係合すると、引き込みキャッチ３７がバネ３８の付勢力に抗して回動し、該引き込みキャッチ３７のピン３７ｃがガイド溝３６の係止部３６ａから外れる。
【００５２】
すると、図２１に示すように、係合爪３７ａ，３７ｂが第１部材３１の引き込みピン３３に係合している引き込みチャック３７は、バネ３８によって引かれているが静止しているため、第２部材３２のケース本体３２Ａがバネ３８の反力を受けて右スライド扉３Ｒと共に全開方向（図２１のｘ方向）へと移動し、これによって右スライド扉３Ｒがバネ３８によって全開位置まで引き込まれ、図１８に示すように、左スライド扉３Ｌの手前側において正面視で左スライド扉３Ｌに重ねられ、収納庫本体２の前面開口部２ａの右半分が開かれる。そして、右スライド扉３Ｒが全開すると、図２０及び図２１に示すように、第２部材３２のケース本体３２Ａの端部が第１部材３１に設けられたダンパー３４に当接してこれを押すため、ダンパー３４の緩衝作用によって右スライド扉３Ｒが全開位置へと引き込まれる際の衝撃が吸収され、右スライド扉３Ｒの開き動作が静粛になされる。
【００５３】
上述のように右スライド扉３Ｒが全開されると、ユーザーは、収納庫本体２の前面開口部２ａのうち、大きく開いた右半分から収納庫本体２内の収納空間に対して食器類を作業性良く出し入れすることができる。
【００５４】
次に、開状態にある収納庫本体２の開口部の２ａ右半分を右スライド扉３Ｒによって閉じる場合には、右スライド扉３Ｒを以上とは逆の手順で操作すれば良い。即ち、図４に鎖線にて示すように正面視で左スライド扉３Ｌに重ねられた右スライド扉３Ｒのライン把手１６を把持して該右スライド扉３Ｒを右方向（図４及び図１８の矢印ｘ’方向）にスライドさせる。このとき、図２１に示すように第２部材３１の引き込みキャッチ３７は静止しているため、第２部材３２のケース本体３２Ａがバネ３８の付勢力に抗して図示矢印ｘ’方向に移動し、該ケース本体３２Ａに形成されたガイド溝３６に沿って引き込みキャッチ３７がケース本体３２Ａに対して相対的に移動し、ピン３７ｃが図１７に示すようにガイド溝３６の係止部３６ａに係合して引き込みキャッチ３７が元の初期位置に戻されるとともに、該引き込みキャッチ３７の係合爪３７ａ，３７ｂと第１部材３１の引き込みピン３３との係合が解除される。
【００５５】
而して、本実施の形態では、ダンパー３４とバネ３８を第１部材３１と第２部材３２に分けて設けたため、バネ３８の付勢力に抗するだけの小さな力で右スライド扉３Ｒを閉めることができる。又、図２及び図３に示すように、上側のガイド手段Ｇの幅方向２箇所に回り止め部材３９を設けたため、右スライド扉３Ｒの閉じ動作時に該右スライド扉３Ｒに回転方向の力が加わらず、従って、右スライド扉３Ｒをスムーズに閉じることができる。
【００５６】
その後、右スライド扉３Ｒが右限まで移動し、上下のガイド手段Ｇ，Ｇ’の揺動板１０，１０’に保持されたローラ２１，２１’の第２のガイドレール１９，１９’への係合が直線ガイド部１９ａ（下側については不図示）から揺動ガイド部１９ｂ（下側については不図示）に移行した時点で、ライン把手１６を操作して右スライド扉３Ｒを奥側に押し込むと、上側のリンク機構Ｇの揺動板１０，１１はリターンスプリング１７の復元力によって軸１２，１３を中心として図４の矢印ｂ方向に回動し、平行四辺形リンクは図２に示す全閉状態へと復帰する。同様に、下側のガイド手段Ｇ’の揺動板１０’，１１’もリターンスプリング１７’の復元力によって同方向に回動し、平行四辺形リンクは全閉状態へと復帰する。
【００５７】
而して、上述のように平行四辺形リンクが全閉状態に復帰すると右スライド扉３Ｒは収納庫本体２の前面に対して平行に奥側へと移動して図１〜図３に示すように収納庫本体２の前面開口部２ａの右半分を閉じ、左右のスライド扉３Ｌ，３Ｒはフラットな平面を成す。このとき、上下のガイド手段Ｇ，Ｇ’の揺動板１０，１０’同士を連結する連結ロッド２２は、図７に示すように、上下の平面仕切板４，４’に嵌着された樹脂製部材２５の切欠き２５ａに収納される。そして、本実施の形態では、上側のガイド手段Ｇのスライダ６と揺動板１０との間にダンパー１８を介設したため、右スライド扉Ｒを閉じる際の衝撃がダンパー１８によって吸収され、該右スライド扉３Ｒの閉じ動作が静粛になされる。
【００５８】
尚、以上は右スライド扉３Ｒの開閉動作について説明したが、左スライド扉３Ｌの開閉動作も右スライド扉３Ｒと同様であって、収納庫本体２の前面開口部２ａの左半分は左スライド扉３Ｌによって開閉される。但し、左スライド扉３Ｌを開く場合には、右スライド扉３Ｒに取り付けられた第２部材３２が静止し、第１部材３１が左スライド扉３Ｌと共に移動するため、左スライド扉３Ｌが全開位置近傍まで移動すると、第１部材３１の引き込みピン３３が第２部材３２の引き込みキャッチ３７の係合爪３７ａ，３７ｂに係合して該引き込みキャッチ３７のピン３７ｃのガイド溝３６の係止部３６ａとの係合を解除する。そして、引き込みキャッチ３７は、バネ３８の付勢力によってガイド溝３６に沿って移動しつつ左スライド扉３Ｌを全開位置まで引き込む。
【００５９】
ところで、例えば左スライド扉３Ｌを開く場合、何らかの原因で引き込みキャッチ３７が図２２に示すように初期位置に戻されていないときには、該左スライド扉３Ｌを全開位置へと引き込むことができない。このような場合には、左スライド扉３Ｌを図２２の矢印方向に移動させて一旦全開させた後、左スライド扉３Ｌを閉じ方向に移動させる。すると、図２３に示すように、第１部材３１は、その係合爪３５が引き込みキャッチ３７の一方の係合爪３７ａに係合した状態で図２３の矢印方向に移動するため、引き込みキャッチ３７が第１部材３１によって引かれてガイド溝３６に沿って移動して初期位置に戻される。
【００６０】
上記操作によって引き込みキャッチ３７が初期位置に復帰した後、左スライド扉３Ｌを再び開ければ、該左スライド扉３Ｌは引き込み機構３０のバネ３８によって全開位置まで引き込まれる。尚、右スライド扉３Ｒを開く場合、何らかの原因で引き込みキャッチ３７が図２２に示すように初期位置に戻されていないときにも同様に、該右スライド扉３Ｒを一旦全開させた後に閉じれば、前記と同様に引き込みキャッチ３７を初期位置に戻すことができ、その後、右スライド扉３Ｒを再び開ければ、該右スライド扉３Ｒを引き込み機構３０のバネ３８によって全開位置まで引き込むことができる。
【００６１】
以上のように、本発明に係るスライド扉開閉機構においては、左右のスライド扉３Ｌ，３Ｒの何れか一方を開く際、該スライド扉３Ｌ又は３Ｒが全開位置近傍まで開いたときに引き込み機構３０によってスライド扉３Ｌ又は３Ｒが自動的に全開位置まで引き込まれるため、スライド扉３Ｌ，３Ｒが大きくて重い扉であっても、これを容易且つ確実に全開することができる。
【産業上の利用可能性】
【００６２】
本発明は、キッチンに設置される食器棚の他、台所用クローゼット、本箱、靴箱、物置等、任意の収納庫とこれに備えられるスライド開閉機構に対して適用可能である。
【図面の簡単な説明】
【００６３】
【図１】本発明に係る収納庫の正面図である。
【図２】図１のＡ−Ａ線断面図（スライド扉全閉時）である。
【図３】図２のＢ−Ｂ線断面図である。
【図４】図１のＡ−Ａ線断面図（スライド扉開閉時）である。
【図５】図４のＣ−Ｃ線断面図である。
【図６】図４のＤ部拡大詳細図である。
【図７】本発明に係るスライド扉開閉機構の動作を示す部分斜視図である。
【図８】本発明に係るスライド扉開閉機構の動作を示す部分斜視図である。
【図９】本発明に係るスライド扉開閉機構の動作を示す部分斜視図である。
【図１０】図１のＥ−Ｅ線断面図である。
【図１１】図１０のＦ部拡大詳細図である。
【図１２】図１０のＧ部拡大詳細図である。
【図１３】図１のＥ−Ｅ線断面図（スライド扉開閉時）である。
【図１４】図１３のＨ部拡大詳細図である。
【図１５】図１４に示す状態の引き込み機構の斜視図である。
【図１６】図１４に示す状態の引き込み機構の側面図である。
【図１７】図１６のＩ−Ｉ線断面図である。
【図１８】図１のＥ−Ｅ線断面図（スライド扉全開時）である。
【図１９】図１８のＪ部拡大詳細図である。
【図２０】図１９に示す状態の引き込み機構の側面図である。
【図２１】図２０のＫ−Ｋ線断面図である。
【図２２】スライド扉を全開する際に引き込み機構の引き込みキャッチが初期位置にない場合の操作を説明する平面図である。
【図２３】スライド扉を全開する際に引き込み機構の引き込みキャッチが初期位置にない場合の操作を説明する平面図である。
【符号の説明】
【００６４】
１              収納庫
２              収納庫本体
２ａ            収納庫本体の前面開口部
３Ｌ，３Ｒ      スライド扉
４，４’        平面仕切板
５，５’        第１のガイドレール
６，６’        スライダ
７，７’        ローラ
８，９          連結板
１０，１０’    揺動板
１１，１１’    揺動板
１２，１３      軸
１４，１４’    リンク部材
１５，１５’    軸
１６            ライン継手
１７，１７’    リターンスプリング
１８            ダンパー
１９，１９’    第２のガイドレール
１９ａ          第２のガイドレールの直線ガイド部
１９ｂ          第２のガイドレールの揺動ガイド部
２０，２０’    軸
２１，２１’    ローラ
２２            連結ロッド
２３，２３’    ブラケット
２４，２４’    フランジ
２５            樹脂製部材
２５ａ          切欠き
２５ａ−１      切欠きの内側面
３０            引き込み機構
３１            第１部材
３１Ａ          第１部材のケース本体
３２            第２部材
３２Ａ          第２部材のケース本体
３３            引き込みピン
３４            ダンパー
３５            係合爪
３６            ガイド溝
３６ａ          ガイド溝の係止部
３７            引き込みキャッチ
３７ａ，３７ｂ  引き込みキャッチの係合爪
３７ｂ−１      係合爪の先端部
３７ｃ，３７ｄ  引き込みキャッチのピン
３８            バネ
３９            回り止め部材
Ｇ，Ｇ’        ガイド手段
Ｓ，Ｓ’        空間
【図１】
0005154156.tif 000002
【図２】
0005154156.tif 000003
【図３】
0005154156.tif 000004
【図４】
0005154156.tif 000005
【図５】
0005154156.tif 000006
【図６】
0005154156.tif 000007
【図７】
0005154156.tif 000008
【図８】
0005154156.tif 000009
【図９】
0005154156.tif 000010
【図１０】
0005154156.tif 000011
【図１１】
0005154156.tif 000012
【図１２】
0005154156.tif 000013
【図１３】
0005154156.tif 000014
【図１４】
0005154156.tif 000015
【図１５】
0005154156.tif 000016
【図１６】
0005154156.tif 000017
【図１７】
0005154156.tif 000018
【図１８】
0005154156.tif 000019
【図１９】
0005154156.tif 000020
【図２０】
0005154156.tif 000021
【図２１】
0005154156.tif 000022
【図２２】
0005154156.tif 000023
【図２３】
0005154156.tif 000024